(57)【特許請求の範囲】
【請求項１】
装置本体内部に、挿入された紙葉類を略逆Ｕ字状に形成した搬送路を通じて搬送する搬送部と、搬送路内の紙葉類の真偽等を識別する識別部と、前記搬送部により搬送された紙葉類を収納する紙葉類収納部とを備え、装置本体内部が開放可能な紙葉類識別収納装置において、
前記搬送部を係脱自在に設けるとともに前記識別部を搬送部の外部に設けた
ことを特徴とする紙葉類識別収納装置。
【請求項２】
前記搬送部には、装置本体に設置するための保持用の突起と、搬送部の設置位置を定める突出部を設け、
前記装置本体には、前記突出部を受容し搬送部が設置位置となるよう突出部を案内する切欠と、設置位置に案内された搬送部を前記突起を介して係脱自在に保持する保持孔とを設けた
ことを特徴とする請求項１記載の紙葉類識別収納装置。
【請求項３】
前記搬送部は、搬送ベルトと、搬送ベルトを駆動するプーリと、プーリを軸支するシャフトとを有するものであって、
前記シャフトの外周面には周方向に延びる溝を設け、
前記プーリの内周面には前記溝に係止し、シャフトの軸方向に力を加えることにより係止が解除される突部を設けた
ことを特徴とする請求項１または２記載の紙葉類識別収納装置。
【請求項４】
前記搬送部は前記搬送路に沿って設けられ、前記識別部は信号の発信部及び受信部を有する識別センサであって、
前記発信部及び受信部を、それぞれ搬送路及び搬送部を間に対向設置し、
前記搬送部に発信部から受信部への信号が通じるように案内部を設けた
ことを特徴とする請求項１、２または３記載の紙葉類識別収納装置。
【発明の詳細な説明】
【０００１】
【発明の属する技術分野】
本発明は、紙幣、商品券、葉書等の紙葉類を識別して収納する紙葉類識別収納装置に関するものである。
【０００２】
【従来の技術】
従来、この種の自動販売機等に備えられる紙幣識別収納装置として、箱状に形成された紙幣収納装置本体と、装置本体の前面に設けられた紙幣の挿入口と、挿入された紙幣を搬送路を通じて搬送する搬送部と、搬送路内の紙幣を真券か否かを識別する識別部と、前記搬送部により搬送された紙幣を積層して収納する紙幣収納部とを備え、紙幣収納部に貯まった紙幣を回収作業者により定期的に回収されるものが一般的に知られている。搬送路は装置本体の上部に略逆Ｕ字状に形成され、この搬送路の内側に沿って搬送部本体が設けられている。また、識別部は発光部及び受光部からなる光学センサに加えて磁気センサ等を有している。搬送部本体には、左右両端に上下一対のプーリを巻回する搬送ベルト及びプーリを回転駆動するシャフト等が設けられる。また、搬送部本体には光学センサの受光部が設けられ、搬送路を介して発光部からの光量を検知して、挿入された紙幣が真券か否かを識別している。前記受光部にはリード線がカプラーを介して接続され、搬送部本体の脱着に際して、識別部のリード線を受光部から離隔することができるようになっている。
【０００３】
また、紙幣識別収納装置の装置本体は、前側のフロントカバーと後側の可動部とから構成され、この可動部には前述の紙幣収納部、前記シャフトを駆動する搬送駆動部、搬送された紙幣を紙幣収納部へ移動させる収納駆動部等が備えられている。可動部はフロントカバーに対して回動自在に構成され、この可動部を背面側へ回動することにより装置本体内部が開放される。メンテナンス作業者はこの可動部を回動し、搬送路の清掃、搬送ベルトの交換等のメンテナンス作業を行っている。
【０００４】
例えば、特開平１１−７３５３８に記載されている紙幣識別収納装置によれば、搬送部本体は装置本体に対して回動自在に構成され、装置内部を開放して搬送部本体を回動した状態でメンテナンス作業が行われる。ところが、この紙幣識別収納装置では搬送部本体を装置本体から取り外すことができず、前記メンテナンス作業を行い難いという問題点がある。
【０００５】
メンテナンス時に搬送部本体を装置本体から取り外せるものとして、例えば特開平８−２７９０６４号公報に記載されているものが知られている。この紙幣識別収納装置では、搬送路は略逆Ｌ字状に形成され、搬送部本体をねじにより装置本体側に取り付けることにより、搬送部本体が装置本体から取り外し可能になっており、前記搬送部本体が回動自在なものに比べ、メンテナンス作業を行い易いものとなっている。
【０００６】
【発明が解決しようとする課題】
しかしながら、前記略逆Ｕ字状の搬送路を有する紙幣識別収納装置では、搬送部本体内に識別部の発光部あるいは磁気センサを内蔵する必要がある。そのため、搬送部本体には電源供給線や検出出力の信号線が必要になり、これらの信号線は搬送部を着脱構造にすることを妨げている。その結果、略逆Ｕ字状の搬送路を有する紙幣識別収納装置では搬送部本体を着脱自在にすることができずに、回動軸を中心にした回動構造としている。
【０００７】
また、前記略逆Ｌ字状の搬送路を有する紙幣識別収納装置では、搬送部本体の脱着に際し、搬送部を固定するねじを工具を用いて外す、或いは締めつけなければならず、搬送部の脱着作業が極めて面倒であるという問題点があった。そのうえ、自動販売機等からの振動が伝わり前記搬送部のねじが緩むと、搬送部が所定の取付位置に固定されず、これを原因として装置が故障する恐れもある。
【０００８】
さらには、搬送部に光学センサの受光部が設けられているため、搬送部を装置本体から取り外すたびに、受光部に接続されるリード線のカプラーを脱着する手間が生じ、搬送部の取り外し作業が極めて面倒であるという問題点があった。
【０００９】
また、カプラーが頻繁に脱着されるため、カプラーの差し込み不良が発生し易く、光学センサが正常に作動しないばかりか、光学センサが故障する恐れがある。そのうえ、カプラーが受光部に差し込まれたまま搬送部が装置本体から誤って外されると、リード線とカプラーとの接続部分に過大な負荷が加わってこの接続部分を破損する恐れもあり、光学センサの電気的信頼性が低いという問題点もあった。
【００１０】
本発明は前記問題点に鑑みてなされたものであり、その目的とするところは、搬送部の脱着作業に工具等を要さず、搬送部を極めて容易に脱着することのできる紙葉類識別収納装置を提供することにある。
【００１１】
【課題を解決するための手段】
本発明は前記目的を達成するために、請求項１では、装置本体内部に、挿入された紙葉類を略逆Ｕ字状に形成した搬送路を通じて搬送する搬送部と、搬送路内の紙葉類の真偽等を識別する識別部と、前記搬送部により搬送された紙葉類を収納する紙葉類収納部とを備え、装置本体内部が開放可能な紙葉類識別収納装置において、前記搬送部を係脱自在に設けるとともに前記識別部を搬送部の外部に設けている。これにより、請求項１の紙幣識別収納装置によれば、装置のメンテナンス時等において、搬送部と装置本体との係合を解除して搬送部を装置本体から外すことができるとともに、この外された搬送部を装置本体に係合させて固定することができることに加え、さらには識別部の配線等を搬送部から外すことなく搬送部を装置本体から外すことができ、搬送部の脱着作業を極めて容易に行うことができる。また、搬送部が装置本体にねじ止めされた従来のもののように、搬送部の脱着に際して専用の工具等を必要としない。
【００１２】
また、請求項２では、請求項１記載の紙葉類識別収納装置において、前記搬送部には、装置本体に設置するための保持用の突起と、搬送部の設置位置を定める突出部を設け、前記装置本体には、前記突出部を受容し搬送部が設置位置となるよう突出部を案内する切欠と、設置位置に案内された搬送部を前記突起を介して係脱自在に保持する保持孔とを設けている。これにより、請求項１の作用に加え、突起と保持孔の係合及び係合解除により搬送部は脱着される。また、搬送部を装置本体に取り付ける際には、突出部及び切欠を用いて搬送部の装置本体に対する位置決めが行われ、搬送部は装置本体内部を閉塞すると確実に固定される。
【００１３】
また、請求項３では、請求項１または２記載の紙葉類識別収納装置において、前記搬送部は、搬送ベルトと、搬送ベルトを駆動するプーリと、プーリを軸支するシャフトとを有するものであって、前記シャフトの外周面には周方向に延びる溝を設け、前記プーリの内周面には前記溝に係止し、シャフトの軸方向に力を加えることにより係止が解除される突部を設けている。これにより、請求項１または２の作用に加え、プーリが歯車等によって駆動されると、搬送ベルトが駆動する。ここで、プーリに力を加えてシャフトから外すことができ、また、外したプーリをシャフトに容易に係止させることができ、プーリの脱着に際して専用の工具等を必要としない。
【００１４】
また、請求項４では、請求項１、２または３記載の紙葉類識別収納装置において、前記搬送部は前記搬送路に沿って設けられ、前記識別部は信号の発信部及び受信部を有する識別センサであって、前記発信部及び受信部を、それぞれ搬送路及び搬送部を間に対向設置し、前記搬送部に発信部から受信部への信号が通じるように案内部を設けている。これにより、請求項１、２または３の作用に加え、磁気センサ、光学センサ等の識別センサを搬送部に設けることなく、搬送路を介して設置することができる。
【００１５】
【発明の実施の形態】
図１乃至図５は本発明の紙葉類識別収納装置の第１の実施形態を示すもので、図１は紙葉類識別収納装置の側面概略断面図、図２は紙葉類識別収納装置の外観斜視図、図３及び図４は紙葉類識別収納装置の動作説明斜視図、図５は搬送部の分解斜視図である。
【００１６】
この紙葉類識別収納装置は、図１及び図２に示すように、箱形の紙幣収納装置本体１と、紙幣収納装置本体１の前面に設けられ長手方向端部から略水平に紙幣Ｂが挿入される挿入口２と、挿入された紙幣Ｂが案内され装置本体１内の上部に略逆Ｕ字状に形成された搬送路３と、搬送路３内の紙幣Ｂを後述する商品収納部側へ搬送する搬送部４と、搬送路３内の紙幣Ｂを真券か否かを識別する識別部５と、装置本体１内の下部に設けられ、搬送部４により搬送された紙幣Ｂを積層して収納する紙幣収納部６とを有している。
【００１７】
紙幣収納装置本体１は、上面の前側、前面及び側面外面をなすフロントカバー１１と、上面の後側、背面の上側及び側面内面をなす可動部１２とからなっている。フロントカバー１１の側面は可動部１２の側面より外側に配置され、可動部１２は下部前方の回動軸を中心としてフロントカバー１１に対し回動自在となっている。また、可動部１２の下側には箱形の紙幣収納部６が受容され、紙幣収納部６は下部の回動軸を中心として可動部１２に対して回動自在となっている。
【００１８】
搬送部４は、搬送路３の内側に沿うように上下方向に延びて形成された搬送部本体４０を有している。また、搬送部本体４０の左右両端側には搬送ベルト４１が上下一対のプーリ４２に巻回して設けられている。各プーリ４２は左右方向に延びる上下２本のシャフト４３の両端側に設けられ、各搬送ベルト４１は連動して駆動するようになっている。下側のプーリ４２には駆動用の歯車４４が噛み合っており、この歯車４４はモータ４ａが作動すると回転するようになっている。
また、搬送部本体４０の左右両端外側には、搬送部保持用の突起４５及び搬送部位置決め用の突出部４６がそれぞれ設けられている。ここで突出部４６は、搬送部本体４０の下端側で、且つ下側のシャフト４３よりも上方に配されている。また、搬送部本体４０には案内部である複数の通光孔４７が設けられ、後述する識別部５の光学センサ５ａの光が搬送部本体４０の背面側から前面側へ通じるようになっている。また、搬送部本体４０には複数の後述する磁気センサ５ｂ用の孔４８が設けられている。
【００１９】
装置本体１の前面裏側には、搬送路３の前面及び側面をなす取付部１３が設けられている。取付部１３の左右側部１３ａは上下方向に延びて形成され、この側部１３ａに搬送部４の左右両端側が取り付けられる。各側部１３ａには、前記突起４５と係合する保持孔１４と、前記突出部４６を背面側より受容する位置決め用の切欠１５と、上側のシャフト４３を回動自在に受容するシャフト用の切欠１６とが設けられている。ここで、各突起４５と各保持孔１４との係合は、搬送部本体４０に力を加えることにより解除されるようになっている。また、装置本体１が閉塞した状態、即ち可動部１２がフロントカバー１１側に位置している状態で、可動部１２と搬送部本体４０とは当接し、搬送部本体４０は突出部４６が切欠１５の前端と当接する位置で確実に固定されるようになっている。
【００２０】
識別部５は光学センサ５ａ及び磁気センサ５ｂからなり、光学センサ５ａは発光部５１と、発光部５１からの光を受ける受光部５２とを有し、磁気センサ５ｂは先端部を搬送路３内に臨ませた磁気ヘッド５３を有している。発光部５１は搬送路３の前面側に、受光部５２は搬送路３の背面側にそれぞれ配置され、即ち、発光部５１及び受光部５２は搬送路３及び搬送部４を間に対向設置されている。
発光部５１からの光は搬送部本体４０の通光孔４７を通じて受光部５２へ到達する。磁気ヘッド５３は搬送路３の背面側に配置され、搬送路３を通過する紙幣Ｂの磁気を検出するようになっている。識別部５は、光学センサ５ａの発光部５１から受光部５２へ到達した光量を検知するとともに、磁気センサ５ｂで検知される磁気を検知することにより、挿入された紙幣が真券か否かを識別している。
【００２１】
以上のように構成された紙葉類識別収納装置において、装置のメンテナンス等を行う際には、図３に示すように、まず装置本体１の可動部１２を背面側へ回動させ、装置本体１内部を開放する。このとき、搬送部４は各突起４５が各保持孔１４と係合しているので、搬送部本体４０が装置本体１から脱落することはない。この後、搬送部本体４０に力を加えて各突起４５と各保持孔１４との係合を解除し、図４に示すように、搬送部本体４０を装置本体１から取り外す。この後、搬送部本体４０の各プーリ４２に左右外側方向へ力を加えて、各シャフト４３の溝４３ａと各プーリ４２の突条部４２ａとの嵌合を解除し、各搬送ベルト４１及び各プーリ４２が搬送部４から外される。
【００２２】
各搬送ベルト４１の交換、発光部５１及び受光部５２の清掃等が終了した後、各搬送ベルト４１、各プーリ４２及び歯車４４を組み合わせ状態で、各シャフト４３に各プーリ４２を左右内側方向へ力を加えながら挿入すると、各シャフト４３の溝４３ａと各プーリ４２の突条部４２ａとが嵌合する。この後、搬送部４の各突出部４６を取付部１３の各切欠１５に挿通し搬送部４の位置決めを行いながら、搬送部４を取付部１３方向に移動させると、各突起４５と各保持孔１４とが係合し、搬送部４が取付部１３に取り付けられる。この後、装置本体１の可動部１２を前面側へ回動して装置本体１を閉塞し、装置のメンテナンス作業を終了する。
【００２３】
このように、本実施形態の紙葉類識別収納装置によれば、搬送部本体４０の各突起４５と装置本体１側の各保持孔１４とが係合するようにしたので、装置本体１の可動部１２を回動させた際に、搬送部本体４０が自重等により脱落することはない。従って、搬送部４を固定するねじ等の締結部材を必要とせず、この締結部材を省略することができ、装置の製造コストを低減することができる。さらに、搬送部４の脱着の際に締結部材用の工具を要することなく、搬送部の脱着作業を容易に行うことができる。
【００２４】
また、本実施形態の紙葉類識別収納装置によれば、搬送部４の各突出部４６と装置本体１側の各切欠１５とで、搬送部本体４０の位置決めを行うようにしたので、搬送部本体４０を取付部１３に取り付ける際に、各突出部４６と各切欠１５を利用して容易且つ確実に各突起４４と各保持孔１４とを係合させることができ、搬送部の脱着作業における作業者の負担を軽減することができる。
【００２５】
また、本実施形態の紙葉類識別収納装置によれば、各シャフト４３に溝４３ａを設け、各プーリ４２にこの溝４３ａに係止する突条部４２ａを設けたので、確実に各プーリ４２が各シャフト４３を固定することができるとともに、専用の工具を用いることなく、各搬送ベルト４１及び各プーリ４２を各シャフト４３から外すことができる。これにより、搬送ベルト４１の交換作業を容易に行うことができる。
【００２６】
また、本実施形態の紙葉類識別収納装置によれば、識別部５の発光部５１及び受光部５２を別個に搬送部４の外部に設けたので、例えば、搬送部に受光部が設けられる従来のもののように、搬送部の脱着に際して受光部に接続するリード線のカプラー等を脱着する作業を行う必要はなく、搬送部の脱着作業を容易に行うことができる。さらに、前述の従来のもののように、識別部の配線を受光部に対して着脱自在の構成とする必要がないので、識別部の電気的信頼性を飛躍的に向上させることができる。
【００２７】
尚、前記実施形態においては、紙幣を収納するものを示したが、商品券、葉書等を収納するものであってもよい。
【００２８】
【発明の効果】
以上説明したように、請求項１記載の紙葉類識別収納装置によれば、略逆Ｕ字状の搬送路を有していても搬送部を着脱可能にでき、また、搬送部と装置本体とが係合するようにしたので、装置本体内部を開放した際に、搬送部が自重等により脱落することはない。従って、搬送部を固定するねじ等の締結部材を必要とせず、この締結部材を省略することができ、装置の製造コストを低減することができる。さらに、搬送部の脱着の際に締結部材用の工具を要することなく、搬送部の脱着作業を容易に行うことができる。また、識別部を別個に搬送部の外部に設けたので、例えば搬送部に識別部の一部が設けられる従来のもののように、搬送部の脱着に際して識別部に接続する配線等を脱着する作業を行う必要はない。
【００２９】
また、請求項２記載の紙葉類識別収納装置によれば、請求項１の効果に加え、搬送部の突出部と装置本体側の切欠とで、搬送部の位置決めを行うようにしたので、搬送部を装置本体側に取り付ける際に、突出部と切欠を利用して容易且つ確実に突起と保持孔とを係合させることができ、搬送部の脱着作業における作業者の負担を軽減することができる。
【００３０】
また、請求項３記載の紙葉類識別収納装置によれば、請求項１または２の効果に加え、シャフトに溝を設け、プーリに溝に係止する突部を設けたので、確実に各プーリをシャフトに固定することができるとともに、専用の工具を用いることなく、搬送ベルト及びプーリをシャフトから外すことができる。これにより、搬送ベルトの交換作業を容易に行うことができる。
【００３１】
また、請求項４記載の紙葉類識別収納装置によれば、請求項１、２または３の効果に加え、識別センサを搬送部に設けることなく、搬送路を介して設置することができ、実用に際して極めて有利である。
【図面の簡単な説明】
【図１】本発明の一実施形態を示す紙葉類識別収納装置の側面概略断面図
【図２】紙葉類識別収納装置の外観斜視図
【図３】紙葉類識別収納装置の動作説明斜視図
【図４】紙葉類識別収納装置の動作説明斜視図
【図５】搬送部の分解斜視図
【符号の説明】
１…紙幣収納装置本体、２…挿入口、３…搬送路、４…搬送部、５…識別部、５ａ…光学センサ、５ｂ…磁気センサ、６…紙幣収納部、１１…フロントカバー、１２…可動部、１４…保持孔、１５…切欠、４０…搬送部本体、４１…搬送ベルト、４２…プーリ、４２ａ…突条部、４３…シャフト、４３ａ…溝、４５…突起、４６…突出部、４７…通光孔、５１…発光部、５２…受光部、Ｂ…紙幣。
【図１】
0004562265.tif 000002
【図２】
0004562265.tif 000003
【図３】
0004562265.tif 000004
【図４】
0004562265.tif 000005
【図５】
0004562265.tif 000006